(57)【要約】【課題】一つのゴルフティーを、ロングティー又はショートティーとして使用することができるゴルフティーを提供する。【解決手段】ショット時に付与される衝撃によりゴルフティー１のクビレ部５が折れるか、或いは、ゴルフティー１のクビレ部５を手で故意に折る等して、上側胴部２ａと下側胴部２ａとに上下分離すれば、載置部３を有する上側胴部２ａをショートのゴルフティー１として使用することができる。また、ショット時に付与される衝撃によりゴルフティー１のクビレ部５が折れなかったとき、或いは、ゴルフティー１のクビレ部５を手で故意に折らなければ、ロングのゴルフティー１として使用することができる。【選択図】  図１
2006166984.tif 000002
【特許請求の範囲】
【請求項１】
ゴルフボールが載置される載置部をティー本体の上端側に形成し、先鋭な突き刺し部をティー本体の下端側に形成したゴルフティーであって、
上記ティー本体を構成する胴部の略中間部に、該上側胴部と下側胴部とに上下分離した状態に折ることが可能なクビレ部を形成した
ゴルフティー。
【請求項２】
上記クビレ部で分離される上側胴部の下端を、上記クビレ部に向けて徐々に先細となるような先鋭形状に形成した
請求項１記載のゴルフティー。
【請求項３】
上記載置部を、上記クビレ部で分離される下側胴部の上端に形成した
請求項１又は２に記載のゴルフティー。
【請求項４】
上記クビレ部を、上記下側胴部に形成した載置部の載置面下に没する位置で折れるように設けた
請求項３に記載のゴルフティー。
【請求項５】
上記ティー本体のクビレ部を、上記上側胴部と下側胴部とに上下分離した状態に折ることが可能な強度を有する材質で形成した
請求項１，２，３，４の何れか一つに記載のゴルフティー。
【請求項６】
上記ゴルフティーを生分解性樹脂で構成した
請求項１，２，３，４，５の何れか一つに記載のゴルフティー。
【発明の詳細な説明】
【技術分野】
【０００１】
この発明は、例えばゴルフ競技において、ロングティー又はショートティーとして使用することができるゴルフティーに関する。
【背景技術】
【０００２】
一般的に使用されているゴルフティーは、ティーアップ時において、ロングティーとショートティーの２種類をプレー時の状況に応じて使い分けられるが、ロングティー又はショートティーの両方をズボンのポケットに多数入れておくことが難しい。また、プレーヤーが持っているロングティー又はショートティーが不足した場合、他のプレーヤーから借りたりすることがあるが、ゴルフティーを貸し借りするのが大変煩わしい。
【０００３】
また、適当な個数のロングティーとショートティーを、ズボンのポケットに予め入れておき、ティーアップ時において、ズボンのポケットに手を入れて、複数個のゴルフティーの中から手の感触だけで選り分け、所望するサイズのゴルフティーを取り出すことは困難である。また、ポケットから取り出した複数個のゴルフティーを目で見て、ロングティーとショートティーのいずれかを選択するのが大変面倒である。また、ポケットから取り出したゴルフティーの全てがロングティー又はショートティーのどちらか一方である場合、手を再びポケットに入れて所望するサイズのゴルフティーを探さなければならず、ポケットからゴルフティーを取り出したり、その取り出したゴルフティーの中からロングティーとショートティーのいずれかを選り分けるのが大変面倒であり、手間及び時間が掛かる。
【０００４】
上記問題を解決するゴルフティーとしては、例えば補助ティーの胴部をショートティーの挿通穴に嵌入し、各ティーを一体的に組付けてロングティーとして使用するか、補助ティーの胴部をショートティーの挿通穴から抜き取って分離し、ショートティーとして使用する特許文献１のゴルフ用ティーがあるが、上述と同様に、補助ティーとショートティーの２種類をポケットに入れて持ち歩かなければならず、ポケットから取り出した補助ティーとショートティーを選り分けるのが大変面倒である。
【０００５】
また、高低二様の高さが異なる複数の筒状ティーを上下に組み合わせて、ゴルフボールを所望する高さにティーアップする特許文献２のゴルフティーがあるが、上述と同様に、高さが異なる複数の筒状ティーをポケットに入れて持ち歩かなければならず、ポケットから取り出した高低二様の筒状ティーを選り分けるのが大変面倒である。
【０００６】
【特許文献１】実開昭６４−１９４６５号公報
【特許文献２】実開平６−６６７３３号公報
【発明の開示】
【発明が解決しようとする課題】
【０００７】
この発明は上記問題に鑑み、ゴルフティーを構成するティー本体の胴部の略中間部に、該上側胴部と下側胴部とに上下分離した状態に折ることが可能なクビレ部を形成することにより、一つのゴルフティーを、ロングティー又はショートティーとして使用することができるゴルフティーの提供を目的とする。
【課題を解決するための手段】
【０００８】
請求項１に記載した発明のゴルフティーは、ゴルフボールが載置される載置部をティー本体の上端側に形成し、先鋭な突き刺し部をティー本体の下端側に形成したゴルフティーであって、上記ティー本体を構成する胴部の略中間部に、該上側胴部と下側胴部とに上下分離した状態に折ることが可能なクビレ部を形成したことを特徴とする。
【０００９】
つまり、ショット時に付与される衝撃によりゴルフティーのクビレ部が折れるか、そのクビレ部を手で故意に折る等して、上側胴部と下側胴部とに上下分離すれば、載置部を有する上側胴部をショートのゴルフティーとして使用することができる。また、ショット時に付与される衝撃によりゴルフティーのクビレ部が折れなかったとき、そのクビレ部を手で故意に折らなければ、ロングのゴルフティーとして使用することができる。つまり、複数個のゴルフティーの中から、所望するサイズのゴルフティーを選り分ける必要が無く、一つのゴルフティーを、ロングティー又はショートティーとして使用することができる。また、ショット時に付与される衝撃によりゴルフティーのクビレ部が簡単に折れるので、抵抗が少なくなり、インパクト時におけるクラブヘッドのスイングスピードを低下させることを最小限にできるうえ、クラブを把持する手に伝わる衝撃を緩和する効果が得られる。
【００１０】
請求項２に記載した発明のゴルフティーは、上記請求項１に記載の構成と併せて、上記クビレ部で分離される上側胴部の下端を、上記クビレ部に向けて徐々に先細となるような先鋭形状に形成したことを特徴とする。つまり、下側胴部を分離したとき、先鋭形状に形成した上側胴部の下端を芝生面に対して容易に突き刺すことができる。
【００１１】
請求項３に記載した発明のゴルフティーは、上記請求項１又は２に記載の構成と併せて、上記載置部を、上記クビレ部で分離される下側胴部の上端に形成したことを特徴とする。つまり、下側胴部の載置部にもゴルフボールを載置して、上下分離された上側胴部及び下側胴部の両方をショートのゴルフティーとして使用することができる。
【００１２】
請求項４に記載した発明のゴルフティーは、上記請求項１，２，３の何れか一つに記載の構成と併せて、上記クビレ部を、上記下側胴部に形成した載置部の載置面下に没する位置で折れるように設けたことを特徴とする。つまり、下側胴部に形成した載置部の載置面下に没する位置でクビレ部が折れるので、ゴルフボールを下側胴部の載置部に載置しても、クビレ部の折れ残った部分がゴルフボールに接触又は当接することがない。
【００１３】
請求項５に記載した発明のゴルフティーは、上記請求項１，２，３，４の何れか一つに記載の構成と併せて、上記ティー本体のクビレ部を、上記上側胴部と下側胴部とに上下分離した状態に折ることが可能な強度を有する材質で形成したことを特徴とする。つまり、ゴルフティーを構成するティー本体のクビレ部を折って上側胴部と下側胴部とに上下分離すれば、載置部を有する上側胴部をショートのゴルフティーとして使用することができる。また、ティー本体のクビレ部を折らなければ、ロングのゴルフティーとして使用することができる。
【００１４】
請求項６に記載した発明のゴルフティーは、上記請求項１，２，３，４，５の何れか一つに記載の構成と併せて、上記ゴルフティーを生分解性樹脂で構成したことを特徴とする。つまり、ショット時において、ゴルフティー（又は上下分離されたティー本体の胴部）が遠くに飛ばされて紛失するか、芝生面に突き刺したまま抜き忘れるようなことがあっても、自然に分解されるため、自然環境に何等影響を与えることがない。
【発明の効果】
【００１５】
この発明によれば、ゴルフティーを構成するティー本体のクビレ部を折って上側胴部と下側胴部とに上下分離すれば、載置部を有する上側胴部をショートのゴルフティーとして使用することができる。また、ティー本体のクビレ部を折らなければ、ロングのゴルフティーとして使用することができる。つまり、１種類のゴルフティーをポケットなどに数個入れておけば、いずれか一つのゴルフティーをポケットから取り出すだけで、ロングティー又はショートティーとして使用することができ、数個のゴルフティーの中から、所望するサイズのゴルフティーを選り分ける手間及び時間が省ける。且つ、プレー時に携帯するゴルフティー１の個数が少なくて済み、プレーに集中することができる。
【発明を実施するための最良の形態】
【００１６】
この発明は、一つのゴルフティーを、ロングティー又はショートティーとして使用することができるという目的を、ゴルフティーを構成するティー本体の胴部の略中間部に、該上側胴部と下側胴部とに上下分離した状態に折ることが可能なクビレ部を形成することで達成した。
【実施例】
【００１７】
この発明の一実施例を以下図面に基づいて詳述する。
【００１８】
図面は、ロングティー又はショートティーとして使用することができるゴルフティーを示し、図１及び図２に於いて、このゴルフティー１は、ティー本体２を構成する柱状（又は棒状、軸状）の上側胴部２ａの上端に、ゴルフボールＡが載置される凹状の載置部３を一体的に形成し、下側胴部２ａの下端に、先端部に向けて徐々に先細となるような先鋭形状の突き刺し部４を一体的に形成し、ティー本体２の全長が上下に分離（例えば略１／２）される胴部２ａの略中間部に、載置部３を有する上側胴部２ａと突き刺し部４を有する下側胴部２ａとに上下分離した状態に折ることが可能なクビレ部５を一体的に形成している。
【００１９】
また、クビレ部５を、ティー本体２を構成する上側胴部２ａ及び下側胴部２ａのいずれか一方が長尺に分離されるような位置に形成することもできる。
【００２０】
上記ティー本体２及び胴部２ａは、土中や海水中などに生息する微生物よって分解されるような生分解性樹脂で一体的に形成している。また、生分解性樹脂の他に、例えば再生紙を含む紙、間伐材を含む木等の分解可能な材質で構成することもできる。
【００２１】
且つ、ティー本体２の胴部２ａよりも細く、ショット時に付与される衝撃で折れるか、手で故意に折ることが可能な太さを有するクビレ部５を、ティー本体２を構成する胴部２ａの略中間部に形成している。つまり、図４に示すように、ティー本体２のクビレ部５がショット時に付与される衝撃で折れるか、図５に示すように、ティー本体２のクビレ部５を手で故意に折る等して、ティー本体２を、載置部３を有する上側胴部２ａと突き刺し部４を有する下側胴部２ａとに上下分離することで、載置部３を有する上側胴部２ａを、ショートのゴルフティー１として用いることができる。また、ゴルフティー１のクビレ部５がショット時に付与される衝撃で折られず、手で故意に折らなかった場合、ロングのゴルフティー１として用いることができる。
【００２２】
また、クビレ部５を、ショット時に付与される衝撃で折れるか、手で故意に折ることが可能な形状又は構造に形成してもよい。
【００２３】
且つ、ティー本体２を載置部３側と突き刺し部４側とに上下分離したときに下端側（突き刺し側）となる上側胴部２ａの下端を、上記突き刺し部４のようにクビレ部５に向けて徐々に先細となるような先鋭形状に形成し、上下分離時において、上側胴部２ａの下端を突き刺し部４として使用する。また、クビレ部５を境として、上側胴部２ａの下端と下側胴部２ａの上端とを上下対称となる形状に形成してもよい。
【００２４】
図示実施例は上記の如く構成するものにして、以下、１種類のゴルフティー１をロングティー又はショートティーとして使用する方法を説明する。
【００２５】
先ず、プレー開始前において、図１、図２に示すような１種類のゴルフティー１をズボンのポケットやゴルフバックに予め数個入れておけば、ロングホールでプレーする場合、ティーアップ時において、ズボンのポケットに手を入れて、いずれか一つのゴルフティー１を取り出せば、図３に示すように、ゴルフティー１を芝生面に突き刺して、ロングのゴルフティー１として使用することができる。
【００２６】
また、図４に示すように、ショット時に付与される衝撃によりゴルフティー１のクビレ部５が折れるか、図５に示すように、ゴルフティー１のクビレ部５を手で故意に折る等して、載置部３を有する上側胴部２ａと突き刺し部４を有する下側胴部２ａとに上下分離すれば、突き刺し部４を有する下側胴部２ａを分離（例えば略１／２）した長さだけ、ティー本体２の全長が短くなり、図６に示すように、載置部３を有する上側胴部２ａの下端に形成した突き刺し部４を芝生面に突き刺して、ショートのゴルフティー１として使用することができる。また、ゴルフティー１のクビレ部５がショット時に折れなかった場合、ロングのゴルフティー１として使用することができる。
【００２７】
つまり、いずれか一つのゴルフティー１をポケットから取り出すだけで、ロングティー又はショートティーとして使用することができ、数個のゴルフティー１…の中から、所望するサイズのゴルフティー１を選り分ける手間及び時間が省ける。
【００２８】
一方、突き刺し部４を有する下側胴部２ａは、再使用不可能であるため回収して廃棄処分する必要があるが、ショット時において、遠くに飛ばされて紛失するか、芝生面に突き刺したまま抜き忘れるか、ゴルフコースの内外に投棄する等しても、生分解性樹脂で構成した下側胴部２ａは自然に分解されるため、自然環境に何等影響を与えることがない。
【００２９】
以上のように、ゴルフティー１を構成するティー本体２の胴部２ａ略中間部に形成したクビレ部５を折って上側胴部２ａと下側胴部２ａとに上下分離すれば、載置部３を有する上側胴部２ａをショートのゴルフティー１として使用することができる。また、クビレ部５を折らなければ、ロングのゴルフティー１として使用することができる。つまり、１種類のゴルフティー１をポケットなどに数個入れておけば、いずれか一つのゴルフティー１をポケットから取り出すだけで、ロングティー又はショートティーとして使用することができ、複数個のゴルフティー１の中から、所望するサイズのゴルフティー１を選り分けるような手間及び時間が省ける。且つ、プレー時に携帯するゴルフティー１の個数が少なくて済み、プレーに集中することができる。
【００３０】
また、ショット時において、ゴルフティー１及び上下分離されたティー本体２の上下胴部２ａが遠くに飛ばされて紛失するか、芝生面に突き刺したまま抜き忘れるようなことがあっても、生分解性樹脂で構成したゴルフティー１及びティー本体２の胴部２ａは自然に分解されるため、自然環境に何等影響を与えることがなく、動植物の生育に適した環境を保つことができる。
【００３１】
また、ショット時に付与される衝撃によりゴルフティー１のクビレ部５が簡単に折れることで、インパクト時におけるクラブヘッドのスイングスピードを低下させることを最小限にして、ゴルフボールの飛距離を延ばせるうえ、クラブを把持する手に伝わる衝撃を緩和する効果が得られ、クラブ或いは手を痛める心配がない。
【００３２】
図７、図８は、ゴルフボールＡが載置される載置部３を、ティー本体２の上端部及び中間部に形成したゴルフティー１の他の例を示し、ティー本体２を載置部３側と突き刺し部４側とに上下分離したときに上端側（載置側）となる下側胴部２ａの上端を、上記載置部３のようにゴルフボールＡが安定した状態に載置されるような凹形状に形成し、上下分離時において、クビレ部５で分離される下側胴部２ａの上端を載置部３として使用する。且つ、ティー本体２の胴部２ａ略中間部に形成したクビレ部５を、下側胴部２に形成した載置部３の載置面下に没する位置で折れるように設けている。
【００３３】
つまり、ゴルフティー１を構成するティー本体２の胴部２ａ略中間部に形成したクビレ部５を折って、ティー本体２を上側胴部２ａと下側胴部２ａに上下分離すれば、上側胴部２ａの載置部３と下側胴部２ａの載置部３とにゴルフボールＡを載置することができるので、上下分離された上側胴部２ａ及び下側胴部２ｂの両方をショートのゴルフティー１として使用することができる。また、クビレ部５を折らなければ、ロングのゴルフティー１として使用することができ、前述の実施例と略同等の作用及び効果を奏することができる。
【００３４】
且つ、下側胴部２に形成した載置部３の載置面下に没する位置でクビレ部５が折れるので、ゴルフボールＡを下側胴部２ａの載置部３に載置しても、クビレ部５の折れ残った部分がゴルフボールＡに接触又は当接することがなく、ゴルフボールＡの載置姿勢が安定する。
【００３５】
図９は、クビレ部５を上下分離可能な強度を有する材質で形成したゴルフティー１のその他の例を示し、ティー本体２のクビレ部５を、載置部３を有する上側胴部２ａと、突き刺し部４を有する下側胴部２ａとに上下分離した状態に折ることが可能な強度を有する生分解性樹脂などの材質で形成している。
【００３６】
つまり、ティー本体２のクビレ部５を折って、載置部３を有する上側胴部２ａと突き刺し部４を有する下側胴部２ａとに上下分離すれば、載置部３を有する上側胴部２ａをショートのゴルフティー１として使用することができる。また、クビレ部５を折らなければ、ロングのゴルフティー１として使用することができ、前述の実施例と略同等の作用及び効果を奏することができる。また、クビレ部５を、例えば接着剤や連結具等で上下分離可能に連結しておくこともできる。
【００３７】
なお、本発明は、上述の実施例の構成のみに限定されるものではない。
【００３８】
例えばゴルフティー１を構成するティー本体２の胴部２ａにクビレ部５を複数形成して、ティー本体２の胴部２ａを段階的に分離可能に設けることもできる。
【図面の簡単な説明】
【００３９】
【図１】ロングのゴルフティーを示す斜視図。
【図２】ゴルフティーのクビレ構造を示す断面図。
【図３】ロングのゴルフティーを突き刺した状態を示す側面図。
【図４】ゴルフティーのクビレ部がショット時に折れた状態を示す側面図。
【図５】ゴルフティーのクビレ部を手で折った状態を示す側面図。
【図６】ショートのゴルフティーを突き刺した状態を示す側面図。
【図７】ゴルフティーの他の例を示す断面図。
【図８】図７のゴルフティーを上下分離した状態を示す断面図。
【図９】ゴルフティーのその他の例を示す断面図。
【符号の説明】
【００４０】
Ａ…ゴルフボール
１…ゴルフティー
２…ティー本体
２ａ…胴部
３…載置部
４…突き刺し部
５…クビレ部
【図１】
2006166984.tif 000003
【図２】
2006166984.tif 000004
【図３】
2006166984.tif 000005
【図４】
2006166984.tif 000006
【図５】
2006166984.tif 000007
【図６】
2006166984.tif 000008
【図７】
2006166984.tif 000009
【図８】
2006166984.tif 000010
【図９】
2006166984.tif 000011